(57)【特許請求の範囲】
【請求項１】
サンバイザー本体内に収納室が設けられ、前記サンバイザー本体の一側面に前記収納室からの引出口が形成され、補助バイザーとして用いる板状のエクステンダーが前記引出口から側方に引き出し可能に前記収納室に挿入されていると共に、前記サンバイザー本体内にバニティーミラーが配設され、前記バニティーミラーに臨ませるミラー開口部が前記サンバイザー本体の一面に形成され、前記ミラー開口部を開閉するリッドが設けられた車両用サンバイザーであって、
前記バニティーミラーが前記エクステンダーに取り付けられ、前記リッドは前記引出口から所定量引き出し可能に前記サンバイザー本体に保持されていると共に、前記エクステンダーは、前記リッドに対して引き出し方向に所定量だけスライド可能に前記リッドに保持されていることを特徴とする車両用サンバイザー。
【請求項２】
請求項１に記載の車両用サンバイザーにおいて、前記ミラー開口部内に突出し、且つ、前記リッドがスライド方向に移動させられたときに、前記ミラー開口部の移動方向の側面に当接するリッド操作ノブが前記リッドの前記引出口側とは反対側の端部に形成されていることを特徴とする車両用サンバイザー。
【発明の詳細な説明】
【０００１】
【発明の属する技術分野】
この発明は、バニティーミラー及び補助バイザーとしてのエクステンダーが設けられた車両用サンバイザーに関するものである。
【０００２】
【従来の技術】
従来の車両用サンバイザーには、例えば図１１〜図１３に示したようなバニティーミラー付きサンバイザー（特開２００１−６３５２１号公報参照）、図１４，図１５に示したような補助バイザープレート付きサンバイザー（特開平１１−１２９７５３号公報）、図１６，図１７に示したような補助バイザー付きサンバイザー（特開平９−２５４６５０号公報参照）、或いは図１８に示したようなサンバイザーがある。
【０００３】
図１１の運転席側に設けたサンバイザー１は、図１２，図１３に示したように、サンバイザー本体２と、ミラー組立体３を有する。このサンバイザー本体２には一面に開口する取付凹部２ａが形成され、この取付凹部２ａの長手方向の一端部近傍及び他端部にはそれぞれプレート４，５が固定されている。
【０００４】
このプレート４にはネジ孔４ａが形成され、プレート５にはサンバイザー本体１の長手方向に延びるスリット５ａが形成されている。このスリット５は、幅狭部５ａ１と、幅狭部５ａ１の一端部に連設された爪挿通用の幅広部５ａ２を有する。
【０００５】
また、ミラー組立体３は、ミラー取付基材６と、ミラー取付基材６に取り付けられたバニティーミラー７と、バニティーミラー７側を開閉するリッド８を有する。しかも、ミラー取付基材６の一端部近傍にはネジ挿通孔６ａが形成され、ミラー取付基材６の他端にはバニティーミラー７側とは反対側に突出する略Ｔ字状の係止爪９が設けられている。
【０００６】
そして、このミラー組立体３を取付凹部２ａ内に取り付けるには、先ず、図１３（ａ）中この係止爪９をプレート５の幅広部５ａ２から下方に挿通した後、係止爪９を図１３（ｂ）の如く幅狭部５ａ１側に移動させることにより、係止爪９の先端爪部９ａをプレート５に係止させて、係止爪９がスリット５から抜け外れないようにする。
【０００７】
この様にしながらミラー組立体３を取付凹部２ａ内に嵌合し、固定ネジ１０をネジ挿通孔６ａに挿通した後、固定ネジ１０の先端部をプレート４のネジ孔４ａに螺着することにより、ミラー組立体３が取付凹部２ａ内に取り付けられる。
【０００８】
また、図１４（ａ），図１４（ｂ），図１５の車両用サンバイザーは、サンバイザー本体１１と、補助バイザー組立体１２を有する。このサンバイザー本体１１は、２分割した半割体１３ａ，１３ｂからなる芯材１３を有する。
【０００９】
また、補助バイザー組立体１２は、案内部材１４と、補助バイザー（エクステンダー）１５を有する。この案内部材１４は、ケース体Ｃ１とカバー体Ｃ２から扁平筐体状に形成されていると共に、内部にバイザー収納室１４ａが形成されている。
【００１０】
しかも、案内部材１４には一側面側に開口する開口部１４ｂが設けられ、補助バイザー（エクステンダー）１３は開口部１４ｂから引き出し可能に収納室１４ａ内に挿入保持されている。
【００１１】
この構成では、補助バイザー１３を図１４の如く引き出すことで、遮光範囲を広くすることができる。
【００１２】
更に、図１６，図１７においては、車室天井の前側サイド部にブラケット１６が取り付けられ、ブラケット１６に水平回動可能に支持軸１７が取り付けられている。そして、この支持軸１７にはサンバイザー１８が軸線回りに回動可能に保持されている。このサンバイザー１８は、サンバイザー本体１９及び補助バイザー（エクステンダー）２０を有する。
【００１３】
このサンバイザー本体１９内には一側面に開口する収納室２１が設けられ、収納室２１内には補助バイザー２０が開口から側方に引き出し可能に挿入されている。また、補助バイザー２０の上縁部内にはサポート軸２２が埋設されている。
【００１４】
このサポート軸２２の一端部２２ａは補助バイザー２０の一側から側方に突出させられている。このサポート軸２２の一端部２２ａは、車室天井の前側に設けられた係止フック２３に係止可能に設けられている。
【００１５】
また、図１８に示したサンバイザー２４では、サンバイザー本体２５内に図１７と同様な収納室２６を設け、この収納室２６内に上述の補助バイザーと同様なエクステンダー２７を配設している。また、サンバイザー本体２５に一面に開口するミラー用開口部２８を設け、このミラー用開口部２８をリッド２９で開閉可能に設けている。
【００１６】
しかも、サンバイザー本体２５の芯材３０にミラー用開口部２８に臨むベース支持板部（支持壁）３０ａを形成し、このベース支持板部３０ａにミラーベース３１を支持させると共に、このミラーベース３１にバニティーミラー３２を取り付けている。
【００１７】
【発明が解決しようとする課題】
ところで、図１１〜図１３に示したようなバニティーミラー付きサンバイザーでは、衝撃力によりサンバイザー本体２及びミラー組立体３が弾性変形により湾曲させられる際に、ミラー組立体３に設けた係止爪９がサンバイザー本体２側のスリット５に沿って移動することで、ミラー組立体３がミラー本体２から脱落せずに、衝撃力をサンバイザー本体２とミラー組立体３とにより効果的に吸収しようとしている。
【００１８】
しかしながら、この構成では、サンバイザー本体２及びミラー組立体３の弾性変形時にのみ係止爪９がスリット５内を移動可能であるため、このミラー組立体３を補助バイザーとして使用できないものであった。しかも、仮に、ミラー組立体３を補助バイザーとしてミラー本体２の側面から引き出し可能に設けたとしても、ミラー組立体３を側方に引き出した際にスリット５が露出するので、見栄えが損なわれるものである。
【００１９】
また、図１４，図１５に示したような補助バイザープレート付きサンバイザーでは、補助バイザー（エクステンダー）１５を扁平筐体状の案内部材１４にしか取り付けられないので、案内部材１４の分だけ厚みが増すことになる。この厚みが増すことにより、乗員に対して圧迫感を与え、車室内の居住空間を狭くするという問題がある。
【００２０】
しかも、この様に案内部材１４を扁平筐体状に形成するのに、ケース対Ｃ１とカバー体Ｃ２を必要としていたため、コスト高になると共にサンバイザーの厚みを増す要因になっていた。
【００２１】
更に、図１６，図１７に示したような補助バイザー付きサンバイザー１８では、車両前側上部からの光を遮光する際に、補助バイザー（エクステンダー）２０の自由端部を車室前側天井の係止フック（サンバイザーホルダー）２３に支持させるのに、補助バイザー２０に埋設したサポート軸２２を用いている。
【００２２】
この様な構造のサンバイザー１８において、仮にサンバイザー本体１９にバニティーミラーを取り付けた場合、このバニティーミラーをサンバイザー本体１９内に収納する構造となるため、ミラー保持用のミラーベースにバニティーミラーを取り付けると共に、ミラーベースと補助バイザー（エクステンダー）２０との間にミラー支持壁を設け、このミラー支持壁と補助バイザー２０との間にクリアランスを設ける必要がある。
【００２３】
この場合には、図１４，図１５に示したサンバイザーと同様に、サンバイザー１８の厚みが増して、車室内の居住空間を狭くし、乗員に対する圧迫感を与えるという問題がある。この点は、図１８に示した構造のサンバイザーでも同じである。
【００２４】
そこで、この発明は、バニティーミラー及び補助バイザーとしてのエクステンダーを設けても厚さを薄くできる車両用サンバイザーを提供することを目的とするものである。
【００２５】
【課題を解決するための手段】
この目的を達成するため、請求項１の発明は、サンバイザー本体内に収納室が設けられ、前記サンバイザー本体の一側面に前記収納室からの引出口が形成され、補助バイザーとして用いる板状のエクステンダーが前記引出口から側方に引き出し可能に前記収納室に挿入されていると共に、前記サンバイザー本体内にバニティーミラーが配設され、前記バニティーミラーに臨ませるミラー開口部が前記サンバイザー本体の一面に形成され、前記ミラー開口部を開閉するリッドが設けられた車両用サンバイザーであって、前記バニティーミラーが前記エクステンダーに取り付けられ、前記リッドは前記引出口から所定量引き出し可能に前記サンバイザー本体に保持されていると共に、前記エクステンダーは、前記リッドに対して引き出し方向に所定量だけスライド可能に前記リッドに保持されている車両用サンバイザーとしたことを特徴とする。
【００２６】
この構成によれば、バニティーミラーはエクステンダーに取り付けられているので、バニティーミラー取付用のミラーベースをエクステンダーとは別途設ける必要がない。この結果、ミラーベースを支持するための支持壁や、エクステンダーと支持壁との間のクリアランスを必要としないので、バニティーミラー及び補助バイザーとしてのエクステンダーを設けてもサンバイザー全体の厚さを薄くできる。
【００２７】
しかも、前記エクステンダーを更に前記リッドに対して引き出し方向に所定量だけスライドすることにより、エクステンダーを更に延長できるので、遮光範囲を広げて遮光性を向上させることができる。
【００２８】
更に、請求項２の発明は、請求項１に記載の車両用サンバイザーにおいて、前記ミラー開口部内に突出し、且つ、前記リッドがスライド方向に移動させられたときに、前記ミラー開口部の移動方向の側面に当接するリッド操作ノブが前記リッドの前記引出口側とは反対側の端部に形成されていることを特徴とする。
【００２９】
この構成によれば、前記リッドが引出口から所定量引き出されたときに、リッド操作ノブがミラー開口部の移動方向の側面に当接してリッドのストッパーとして機能する。これにより、リッドのストッパーを別途必要としない。
【００３０】
【発明の実施の形態】
以下、この発明の実施の形態を図面に基づいて説明する。
【００３１】
図１，２において、３０は車両のインストルメントパネル、３１はフロントウインドシールドパネル、３２はフロントドア、３３は車両の天井、３３ａは天井３０の前側天井縁部、３４は前側天井縁部３３ａの車幅方向中央部に設けられたルームミラーである。
【００３２】
また、３５はルームミラー３４の近傍に位置して前側天井縁部３３ａに取り付けられたバイザー係止フック、３６は前側縁部天井３３ａの左側縁部に取り付けられたブラケット、３７はブラケット３６に水平回動可能に保持された支持軸、３８は支持軸３７にその軸線回りに回動可能に取り付けられたサンバイザーである。
【００３３】
このサンバイザー３８は、図３，図４（ａ）に示した様にサンバイザー本体３９，補助バイザーイとしてのエクステンダー４０，バニティーミラー４１，ミラーリッド４２，エスカッションＥｃを有する。
【００３４】
このサンバイザー本体３９は、図５（ａ）に示したように、薄肉のヒンジ部４３で回動可能に一体に結合されたバイザー板部４４，４５を有する。尚、バイザー板部４４，４５は、ポリプロピレン等からなる板部３９ａと、板部３９ａの外面側を覆う表皮３９ｂを有する。
【００３５】
また、このバイザー板部４４，４５の周縁には内面側に突出するフランジ４６，４７がそれぞれ形成され、フランジ４６，４７の長手方向の一側壁部４６ａ，４７ａには切欠４８，４９がそれぞれ形成されている。尚、薄肉のヒンジ部４３は、フランジ４６，４７の隣接する縁部間に形成されている。
【００３６】
また、フランジ４６，４７の他側壁部４６ｂ，４７ｂにはヒンジ部４３に隣接して半円形状切欠５０，５１がそれぞれ形成されている。また、バイザー板部４４，４５の一側部近傍には、ヒンジ部４３まで延びる切欠５２，５３がそれぞれ形成されていると共に、切欠５２，５３に沿ってフランジ４６，４７と一体のフランジ部５４，５５がそれぞれ形成されている。このフランジ部５４には半円形状切欠５０に対応して半円状切欠５４ａ，５４ｂが形成され、フランジ部５５には半円形状切欠５１に対応して半円状切欠５５ａ，５５ｂが形成されている。
【００３７】
更に、バイザー板部４４の内面の半円状切欠５０側縁部近傍には、幅方向（図５（ａ）では上下方向）に間隔をおいて一対のボス５６，５６が一体に形成されている。また、バイザー板部４５の内面の半円状切欠５１側縁部近傍には、幅方向（図５（ａ）では上下方向）に間隔をおいて一対のピン状の係合軸５７，５７が一体に形成されている。この係合軸５７は、バイザー板部４４，４５を合わせたときにボス５６に嵌合される様になっている。
【００３８】
また、バイザー板部４４の中央部には左右に延びるミラー開口部５８が形成されている。このバイザー板部４４の内面の幅方向（図５（ａ）の上下方向）側縁部には、サンバイザー３９の長手方向に延びるガイドリブ（ガイド突部）５９，６０が形成されている。このガイドリブ５９，６０は、切欠４８の部分まで互いに平行に延びて側壁部４６ａに一体に形成されている。これにより、バイザー板部４４の補強がされている。
【００３９】
更に、バイザー板部４５の内面の幅方向（図５（ａ）の上下方向）側縁部近傍には、サンバイザー３９の長手方向に延びるガイドリブ（ガイド突部）６１，６２が形成されている。このガイドリブ６１，６２は、切欠４９の部分まで互いに平行に延びて側壁部４７ａに一体に形成されている。これにより、バイザー板部４５の補強がされている。
【００４０】
また、バイザー板部４５の内面には、切欠５３及びガイドリブ６１側に位置してガイド突部６３，６３が突設されていると共に、ガイドリブ６２側に位置してガイド突部６４，６４が突設されている。このガイド突部６３，６３はガイドリブ６１の延びる方向に間隔をおいて配設され、又、ガイド突部６４，６４はガイドリブ６２の延びる方向に間隔をおいて配設されている。このガイド突部６３，６４には図４（ｂ），図４（ｃ）に示したように、円弧状のガイド面６３ａ，６４ａが形成されている。
【００４１】
エクステンダー４０は、中央部に図４（ａ）に示したようなミラー取付凹部４０ａが形成されている。このミラー取付凹部４０ａにはバニティーミラー４１が嵌着固定されている。また、エクステンダー４０には、エクステンダー４０のスライド方向の両側が傾斜する弾性係止爪６５，６５及び６６，６６がバニティーミラー４１の長手方向両端に近接して設けられている。この弾性係止爪６５，６５及び６６，６６はバニティーミラー４１側に僅かに突出している。
【００４２】
更に、エクステンダー４０の一端部には、弾性係止爪６５，６５間から更にバニティーミラー４１とは反対側に延びる支持板部４０ｂが一体に設けられている。また、エクステンダー４０の他端部にはバニティーミラー４１側の面とは反対側に突出する操作ツマミ部６７が設けられている。しかも、エクステンダー４０のバニティーミラー４１とは反対側の面には、互いに平行に且つエクステンダー４０の長手方向に延びるガイド溝６８，６９が形成されている。
【００４３】
ミラーリッド４２は、長手方向に延びる側縁部に沿って形成され且つ先端が互いに対向するＵ字状の折曲部７０，７１と、折曲部７０，７１の内側に形成されたガイド溝７０ａ，７１ａと、長手方向の一端部に突設されたリッド操作ノブ７２と、リッド操作ノブ７２とは反対側の端部に形成された係止穴７３，７３を有する。リッド操作ノブ７２は、折曲部７０，７１とは反対側の面に突出している。
【００４４】
エスカッションＥｃは、中央部に図５（ａ）中上下に延びる引出口７４を有すると共に、引出口７４の長手方向側縁の両端部近傍の部分にそれぞれ一体に形成された係止爪７５，７５及び７５，７５を有する。尚、側壁部４６ａ，４７ａの長手方向端部近傍には、図６に示した如く切欠４８，４９に開口する切欠７６，７６及び７７，７７がそれぞれ形成されている。
【００４５】
そして、エクステンダー４０の長手方向側縁部を図４（ａ）の如くミラーリッド４２のガイド溝７０ａ，７１ａに係合させることにより、エクステンダー４０にミラーリッド４２が長手方向に移動可能に保持されている。換言すれば、ミラーリッド４２にエクステンダー４０が長手方向に移動可能に保持されている。
【００４６】
ところで、上述の各部品の組み付けは次のようにして行われる。即ち、先ずミラーリッド４２をエクステンダー４０に組み付ける前に、エクステンダー４０を支持板部４０ｂ側から引出口７４に挿通することで、エスカッションＥｃを予め操作ツマミ部６７側に位置させておく。
【００４７】
この後、ガイドリブ６１，６２を上方に向けてバイザー板部４５を水平においた状態で、エクステンダー４０のガイド溝６８，６９にガイドリブ６１，６２を挿入すると共に、ミラーリッド４２の折曲部７０，７１の外面をガイド突部６３，６４のガイド面６３ａ，６４ａに係合させる。一方、支持軸３７を半球状切欠５１，５５ａ，５５ａに係合させる。
【００４８】
この状態で、バイザー板部４４をヒンジ部４３を中心に回動させて、バイザー板部４４，４５のフランジ４６，４７を合わせることで、係合軸５７，５７がボス５６，５６に嵌合される。これにより、バイザー板部４４，４５の合わせ部の位置決が行われる。
【００４９】
また、半球状切欠５０，５４ａ，５４ａが半球状切欠５１，５５ａ，５５ａに合わせられて、バイザー本体３９が支持軸３７に軸線回りに回動自在に保持される。これにより、バイザー板部４４，４５間に図４（ａ）の如く収納室７８が形成される。また、フランジ部４６，４７の端面が合わせられて、フランジ４６，４７の側壁部４６ａ，４７ａ間に図６の如く引出口７９が形成される。また、これにより、尚、このフランジ４６，４７の合わせ部は図４（ａ）の状態で接着又は溶着固定される。
【００５０】
しかも、バイザー板部４４のガイドリブ５９，６０は、ミラーリッド４２の背面側に臨んで、ミラーリッド４２がバイザー板部４４から離反するのを規制している。これにより、エクステンダー４０のガイド溝６８，６９からガイドリブ６１，６２が抜け外れるのを防止すると共に、ガイド突部６３，６４のガイド面６３ａ，６４ａからミラーリッド４２の折曲部７０，７１が離反するのを防止している。
【００５１】
この状態では、ガイドリブ６１，６２とガイド溝６８，６９がエクステンダー４０をサンバイザー本体３９に長手方向にスライド自在にガイドすると共に、ガイド突部６３，６４がミラーリッド４２をエクステンダー４０のスライド方向にスライド自在にガイドするようになっている。
【００５２】
また、ミラーリッド４２は、リッド操作ノブ７２が図３の如くミラー開口部５７内に突出している。しかも、エスカッションＥｃの４つの係止爪７５を、図７，図８の如くバイザー本体３９の側壁部４６ａ，４７ａに設けた切欠７６，７６，７７，７７に挿入して、先端部を側壁部４６ａ，４７ａに係止させることで、側壁４６ａ，４７ａ間に形成される合わせ部８０を図７の如くカバーしている。
【００５３】
この様な状態では、ミラーリッド４２がスライド方向で且つ引き出し方向に移動させられたときに、ミラー開口部５７の移動方向の側面にリッド操作ノブ７２が当接することで、ミラーリッド４２が引出口７８，７４から所定量引き出し可能になっている。しかも、エクステンダー４０は、ミラーリッド４２に対して引き出し方向にスライドさせたとき、エクステンダー４０の弾性係止爪６５がミラーリッド４２の係止穴７３に係合することができる様になっている。これにより、エクステンダー４０は、ミラーリッド４２が引出口７４から所定量引き出され、且つ、エクステンダー４０全体が引出口７４から引き出された後に、更にミラーリッド４２に対して引き出し方向に所定量だけスライド可能にミラーリッド４２に保持されている。尚、上述した切欠５２，５３のフランジ部５４，５５が合わせられることで、サンバイザー本体３９には支持軸３７の一部を露出させる切欠８１が形成される。
【００５４】
次に、この様な構成のサンバイザーの作用を説明する。
【００５５】
この様な構成において、例えば、フロントウインドシールドパネル３１の上部から車室内へ太陽光が入射して、この入射光が乗員にとって眩しいこともある。この場合には、先ずエクステンダー４０をサンバイザー本体３９内に収納した状態にしておく。この状態で、このサンバイザー３８を前側に位置させると共に、サンバイザー３８の支持軸３７の切欠８１から露出する部分を図１の如く係止フック３５に係止させる。そして、サンバイザー３８を支持軸３７を中心に軸線回りに回動させて、フロントウインドシールドパネル３１に沿わせる。この様にして、フロントウインドシールドパネル３１の上部側から乗員の目に入射する太陽光を遮光する。
【００５６】
一方、エクステンダー４０をサンバイザー本体３９内に収納した状態では、図１中、ミラーリッド４２のリッド操作ノブ７２がミラー開口部５７の左端部に当接させられていると共に、エクステンダー４０の弾性係止爪６６が係止穴７３に図５（ｂ）の如く係止させられている。この状態では、バニティーミラー４１はミラー開口部５７に対応させられている。従って、図１の位置において、エクステンダー４０を押さえた状態で、ミラーリッド４２を図１中エクステンダー４０に対して右方にスライドさせて、リッド操作ノブ７２を図３の破線で示したようにミラー開口部５７の右端部まで移動させることにより、バニティーミラー４１をミラー開口部５７に臨ませて、乗員がバニティーミラー４１を使用することができる。
【００５７】
また、太陽光がフロントドア３２の上部側から車室内に入射して、この入射光が乗員にとって眩しかったり、暑さを感じさせたりすることもある。この場合には、支持軸３７をフロントドア３２側に水平回動させることにより、サンバイザー３８をフロントドア３２の上部に沿わせる。この位置では、エクステンダー４０の操作ツマミ部６７が車室の乗員側を向くことになるので、エクステンダー４０をサンバイザー本体３９から引き出す操作が容易となる。
【００５８】
従って、この状態で操作ツマミ部６７を摘んで、収納室７８内のエクステンダー４０をサンバイザー本体３９から図２中左方（側方）に引くことにより、エクステンダー４０を引出口７４から引き出す操作をする。この際、ガイドリブ６１，６２とガイド溝６８，６９がエクステンダー４０を図２中左方にガイドする。
【００５９】
しかも、収納室７８内にエクステンダー４０が収納されている状態では、エクステンダー４０の弾性係止爪６６がミラーリッド４２の係止穴７３に係止されている。このため、収納室７８内のエクステンダー４０をサンバイザー本体３９から図２中左方（側方）に引き出し操作すると、ミラーリッド４２がエクステンダー４０と一体に同方向に移動させられる。この際、ガイド突部６３，６４が引出口７４の近傍でミラーリッド４２をエクステンダー４０のスライド方向にガイドすることになる。この様にして、ミラーリッド４２がエクステンダー４０と一体に引出口７４から側方（図２中左方）に引き出される。
【００６０】
そして、この様なミラーリッド４２及びエクステンダー４０の引き出し操作に伴い、ミラーリッド４２のリッド操作ノブ７２が図３中ミラー開口部５７内を右方に移動させられる。しかも、最終的にはリッド操作ノブ７２が破線で示したようにミラー開口部５７の右側部に当接して、ミラーリッド４２の引き出し方向への移動が停止させられる。この様にして、ミラーリッド４２が引出口７４から所定量引き出されて停止することになる。従って、ミラーリッド４２が引出口７４から所定量引き出されたときに、リッド操作ノブ７２がミラー開口部５７の移動方向の側面に当接して、エクステンダー４０のストッパーとして機能する。
この後、エクステンダー４０を引き出し方向に更に引くことにより、エクステンダー４０の傾斜する弾性係止爪６６がミラーリッド４２の係止穴７３から抜け外れて、エクステンダー４０がミラーリッド４２に対して引き出し方向にスライドすることになる。この際、エクステンダー４０はミラーリッド４２のガイド溝７０ａ，７１ａに保持された状態でガイドされることになる。そして、この様なスライド操作は、エクステンダー４０の弾性係止爪６５がミラーリッド４２の係止穴７３に係合して、クリック感が得られるまで行う。これにより、エクステンダー４０がミラーリッド４２に対して更に引き出し方向に所定量スライドさせられることになる。
【００６１】
この様にミラーリッド４２を引出口７４から所定量引き出した後、更にエクステンダー４０をミラーリッド４２に対して引き出し方向にスライドさせることにより、エクステンダー４０が更に引き出し方向に延長されるので、エクステンダー４０による遮光範囲をミラーリッド４２と共に広げることができる。
（変形例）
以上説明した実施例では、エクステンダー４０にミラー取付凹部４０ａを設けて、このミラー取付凹部４０ａにバニティーミラー４１を取り付けた構成を示したが、必ずしもこの構成に限定されるものではない。例えば、図１０に示したように構成しても良い。
【００６２】
即ち、図１０においては、板状のミラーベース８２にミラー本体８３を取り付けたバニティーミラーＭを用意すると共に、エクステンダー本体４０′にミラー用開口８４を形成して、このミラー用開口８４にミラー本体８３を臨ませている。
【００６３】
しかも、エクステンダー本体４０′の裏面に一体に形成した取付軸部８５をミラーベース８２の周縁部に設けた挿通孔８６に挿通すると共に、取付軸部８５の先端部に扁平なカシメ部８５ａを設けて、ミラーベース８２をエクステンダー４０に固定している。このカシメ部８５ａは、加圧治具等により取付軸部８５の先端部に熱を加えながら押圧することにより形成できる。 尚、ミラー本体８３は周縁部がミラーベース８２とエクステンダー本体４０′により挟持されているので、より強固にミラー本体８３をエクステンダー本体４０′に保持できる。この様にして、エクステンダー本体４０′とミラーベース８２によりエクステンダー４０が構成されている。
【００６４】
【発明の効果】
以上説明したように、請求項１の発明は、バニティーミラーはエクステンダーに取り付けられているので、バニティーミラー取付用のミラーベースをエクステンダーとは別途設ける必要がない。この結果、ミラーベースを支持するための支持壁や、エクステンダーと支持壁との間のクリアランスを必要としないので、バニティーミラー及び補助バイザーとしてのエクステンダーを設けてもサンバイザー全体の厚さを薄くできる。しかも、前記エクステンダーを更に前記リッドに対して引き出し方向に所定量だけスライドすることにより、エクステンダーを更に延長できるので、遮光範囲を広げて遮光性を向上させることができる。
【００６５】
更に、請求項２の発明は、リッドが引出口から所定量引き出されたときに、リッド操作ノブがミラー開口部の移動方向の側面に当接してエクステンダーのストッパーとして機能するので、リッドのストッパを別途必要としない。
【図面の簡単な説明】
【図１】この発明に係る車両用サンバイザーを備える自動車の車室内の要部斜視図である。
【図２】図１のサンバイザーの使用例を示す車室内の斜視図である。
【図３】図１，２のサンバイザーの拡大斜視図である。
【図４】（ａ）は図３のＡ−Ａ線に沿う断面図、（ｂ）は（ａ）の上部のガイド突部とミラーリッドとの関係を示す要部拡大図、（ｂ）は（ａ）の下部のガイド突部とミラーリッドとの関係を示す要部拡大図とである。
【図５】（ａ）は図１〜４に示したサンバイザーの分解斜視図、（ｂ）は（ａ）のエクステンダーとミラーリッドを組み付けた状態において弾性係止爪の位置で断面したときの断面図である。
【図６】図３のサンバイザー本体のエスカッションを省略した右側面図である。
【図７】図６のサンバイザー本体の引出口側の側面にエスカッションを装着したときの側面図である。
【図８】図７のＢ−Ｂ線に沿う断面図である。
【図９】図３のエクステンダー及びミラーリッドを引き出したときの断面図である。
【図１０】この発明に係るサンバイザーのバニティーミラーの他の取付構造を示す断面図である。
【図１１】従来のサンバイザーを備える車両の要部斜視図である。
【図１２】図１１のサンバイザーの断面図である。
【図１３】図１２のサンバイザーの分解斜視図である。
【図１４】（ａ）は従来のサンバイザーの他の例を示す正面図、（ｂ）は（ａ）のＣ−Ｃ線に沿う断面図である。
【図１５】図１４（ａ）のＤ−Ｄ線に沿う断面図である。
【図１６】従来の他のサンバイザーを備える車両の要部斜視図である。
【図１７】図１６のサンバイザーの使用例を示す斜視図である。
【図１８】従来の他のサンバイザーを備える車両の要部斜視図である。
【符号の説明】
３９・・・サンバイザー本体
４０・・・エクステンダー
４１・・・バニティーミラー
４２・・・ミラーリッド
５７・・・ミラー開口部
７２・・・リッド操作ノブ
７４・・・引出口
７８・・・収納室
【図１】
0003956682.tif 000002
【図２】
0003956682.tif 000003
【図３】
0003956682.tif 000004
【図４】
0003956682.tif 000005
【図５】
0003956682.tif 000006
【図６】
0003956682.tif 000007
【図７】
0003956682.tif 000008
【図８】
0003956682.tif 000009
【図９】
0003956682.tif 000010
【図１０】
0003956682.tif 000011
【図１１】
0003956682.tif 000012
【図１２】
0003956682.tif 000013
【図１３】
0003956682.tif 000014
【図１４】
0003956682.tif 000015
【図１５】
0003956682.tif 000016
【図１６】
0003956682.tif 000017
【図１７】
0003956682.tif 000018
【図１８】
0003956682.tif 000019